【事件の表示】
　平成　９年特許願第２６５６２０号「画像形成装置および画像形成システム」拒絶査定不服審判事件〔平成１１年　４月２３日出願公開、特開平１１−１１２７２２〕について、次のとおり審決する。
【結　論】
　本件審判の請求は、成り立たない。
【理　由】
１．手続きの経緯
　本願は、平成９年９月３０日に出願されたものであって、平成１６年７月２１日付けで拒絶査定がされ、これに対して平成１６年８月２６日に拒絶査定不服審判が請求されると共に同年９月２７日に手続補正がなされたものである。
　
２．補正の適否について
　平成１６年９月２７日付けの手続補正は、補正前の特許請求の範囲の請求項２，４，５を削除し、それと共に請求項３，６，７に附されている項番号を繰り上げて２，３，４とするための補正であるから、前記補正は、特許法第１７条２第４項第１号に規定する「請求項の削除」に該当し、適法な補正である。
　
３．本願発明
　本願特許請求の範囲の請求項１〜４に係る発明は、平成１６年９月２７日付けの手続補正により補正されたとおりのものと認められるところ、請求項１に係る発明（以下、「本願発明」という。）は、次のとおりのものである。
　「【請求項１】ネットワーク接続された端末装置からプリント要求および画像情報データを受信し、これらの受信データに基づいてプリントジョブを実行する画像形成装置であって、
　端末装置から受信したプリント要求ごとにジョブ識別情報を付与するジョブ識別情報付与手段と、
　付与されたジョブ識別情報を当該プリント要求の送信元端末装置に通知するジョブ識別情報通知手段と、
　自装置におけるプリントジョブの処理状態を記憶する不揮発性メモリと、
　遮断されていた電源が回復したときに、前記不揮発性メモリ内のプリントジョブの処理状態を参照し、まだ未処理のプリントジョブがある場合に、当該プリント要求を送信した端末装置に対して該当する画像情報データを再送するように要求する再送要求手段とを備え、
　前記再送要求手段は、前記プリント要求送信元端末装置に対し、未処理のプリントジョブに係るジョブ識別情報を指定して、当該ジョブ識別情報に対応する画像情報データを再送するように要求することを特徴とする画像形成装置。」
　
４．引用刊行物
　原審が拒絶の理由に引用した特開平８−２７２５６６号公報（平成８年１０月１８日出願公開。以下、「引用例１」という。）には、図面と共に次の記載がある。
　
（ア）「【０００１】
【産業上の利用分野】本発明は、ネットワークに接続されたネットワークプリンタを、複数のホストで共有して印刷を行うリモート印刷システムに関する。
（中略）
【００１３】
【課題を解決するための手段】本発明は、ホストコンピュータに、通信中の接続状態を登録するためのメモリと、ネットワークプリンタ１２０との通信を再開するための通信再開処理部と、通信の再開を監視するためのタイマとを設けたことを特徴とする。また、ネットワークプリンタ１２０に通信中の接続状態を登録するための不揮発性メモリと、通信の再開を監視するためのタイマを設け、プリンタ初期化処理部がホストコンピュータとの通信を再開するようにしたことを特徴とする。
【００１４】
【作用】ホストコンピュータで、印刷のための通信開始時に、リモート印刷処理部が通信中の接続状態をメモリに登録し、
印刷中にネットワークプリンタ１２０の電源の遮断やリセットが行われた場合、通信再開処理部がネットワークプリンタからの通信開始要求を待ち受ける
【００１５】一方、ネットワークプリンタでは、
印刷のための通信開始時に、印刷制御部が通信中の接続状態を不揮発性メモリに登録しておき、電源投入時やリセット時に、プリンタ初期化処理部が不揮発性メモリに登録されているホストコンピュータとの通信の開始を要求する
【００１６】
通信再開処理部およびプリンタ初期化処理部が以上のように作用するため、ネットワークプリンタの電源遮断時やリセット時の通信を優先して再開できる
　なお、下線は、審決において附された以下、同様。
　
（イ）「【００１７】
【実施例】以下、本発明の実施例について図面を参照して説明する。
【００１８】図１は、本発明の実施例のブロック図である。
【００１９】図１は、ネットワーク１００に接続されたホストコンピュータ１１０が、ネットワーク１００に接続されたネットワークプリンタ１２０で、印刷する例を示している。図１では、印刷を行うホストコンピュータ１１０、ネットワークプリンタ１２０を各１台示しているが、複数のホストコンピュータおよび複数のネットワークプリンタとから構成してもよい。
【００２０】ホストコンピュータ１１０は、ネットワーク１００に接続された他のホストコンピュータとの間でネットワークプリンタ１２０を共有し、ユーザからの指示に従いネットワークプリンタ１２０の動作を制御しながら印刷を行うコンピュータである。ホストコンピュータ１１０は、印刷ジョブを生成しネットワークプリンタ１２０での印刷を指示するための印刷プログラム１１１と、印刷プログラム１１１からの指示をネットワークプリンタ１２０へ伝え、印刷ジョブを転送するためのリモート印刷制御部１１２と、ホストコンピュータ１１０とネットワークプリンタ１２０との間の通信手段を提供するためのネットワークプロトコル１１３と、
通信障害回復後にネットワークプリンタ１２０との通信を再開するための通信再開処理部１１６と、通信の再開を監視するためのタイマ１１４と、通信中の接続状態を登録するためのメモリ１１５
【００２１】
ネットワークプリンタ１２０は
電源投入時やリセット時に初期化処理を行うためのプリンタ初期化処理部１２５と、通信の再開を監視するためのタイマ１２３と、通信中の接続状態を登録するための不揮発性メモリ１２４
【００２２】ユーザが入力装置１１８から文書の印刷を指示すると、印刷プログラム１１１は、文書ファイルと、印刷部数等の印刷形式に関するユーザが入力した設定情報を元に、ページ記述言語(ＰＤＬ:Page Description Language)により文書の内容を記述した印刷ジョブを作成し、リモート印刷制御部１１２へ印刷ジョブを渡す。
印刷プログラム１１１とリモート印刷制御部１１２との間にスプールまたはキューを設け、スプール中に複数の印刷ジョブを蓄えることができるようにし、リモート印刷制御部１１２が順次印刷ジョブを取り出して印刷する
【００２３】リモート印刷制御部１１２は、ネットワークプリンタ１２０と通信プロトコル１１３による通信を行う。ネットワークプリンタ１２０では印刷制御部１２１がホストコンピュータとの通信を行い、ホストコンピュータ１１０からの指示に従い、プリンタエンジン１２２を制御して印刷ジョブを印刷する。
【００２４】
ホストコンピュータ１１０がネットワークプリンタ１２０へ印刷ジョブを転送している最中に、ネットワークプリンタ１２０が電源を遮断されたり、リセットされたりした場合
通信プロトコル１１３は、リモート印刷制御部１１２へ通信障害を報告する
【００２５】図２にリモート印刷制御部１１２の動作フローを示す。
【００２６】以下、図２を用いてリモート印刷制御部１１２の動作について詳細に説明する。
【００２７】リモート印刷制御部１１２は、印刷ジョブを受け取り、図２に示すように、ネットワークプリンタ１２０へ、ネットワークプロトコル１１３を利用した通信の開始を要求する（２０１）。通信開始要求は、例えばネットワークプロトコルにＴＣＰ／ＩＰを用いた場合には、コネクション要求関数(connect)を発行することにより行う。
【００２８】ネットワークプリンタ１２０との通信要求が受け付けられると、リモート印刷制御部１１２は、通信相手と自分自身のホストＩＤと通信に使用するポート番号の組をメモリ１１５に登録し（２０２）、通信障害が発生せず（２０３）、通信をまだ終了しない（２０４）場合に、印刷ジョブを転送する（２０５）。
【００２９】印刷ジョブの転送を終えて、ネットワークプリンタ１２０との通信を終了する場合には（２０４）、メモリ１１５に登録した通信相手と自分自身のホストＩＤとポート番号の組を消去して（２０７）、処理を終了する。
【００３０】図３にネットワークプリンタ１２０の動作フローチャートを示す。
【００３１】
以下、図３を用いてネットワークプリンタ１２０の動作について詳細に説明する
【００３２】ネットワークプリンタ１２０では、印刷制御部１２１が、ネットワークプロトコル１１３を利用した通信を受け付ける（３０１）。通信開始要求の受付は、例えばネットワークプロトコルにＴＣＰ／ＩＰを用いた場合には、コネクション要求の受付関数(listen)およびコネクションの確立関数(accept)を発行することにより行う。
【００３３】
ホストコンピュータ１１０からの通信を受け付けると、印刷制御部１２１は、通信相手と自分自身のホストＩＤとポート番号の組を不揮発性メモリ１２４に登録し（３０２）
【００３４】印刷ジョブの転送を終えて、ホストコンピュータ１１０との通信を終了する場合には（３０４）、不揮発性メモリ１２４に登録した通信相手と自分自身のホストＩＤとポート番号の組を消去して（３０７）、処理を終了する。
【００３５】
ネットワークプリンタ１２０は、印刷ジョブを転送中に通信障害が発生した場合（３０３）、電源が投入された場合、または、リセットされた場合に、通信再開処理を行う（３０６）
【００３６】
図５に、ネットワークプリンタ１２０における通信再開処理のフローを示す
【００３７】以下、図５を用いて
ネットワークプリンタ１２０における通信再開処理手順
【００３８】
プリンタ初期化処理部１２５は、不揮発性メモリ１２４にホストＩＤとポート番号の組が登録されているかを確認し（５０１）、登録されている場合にタイマ１２３を起動し（５０２）、不揮発性メモリ１２４に登録されているホスト１１０へ、通信の開始を要求し（５０３）、図６に示す通信再開要求メッセージ６０１を送信する（５０４）
【００３９】次に、
プリンタ初期化処理部１２５は
応答メッセージは、図６に示す通信再開要求メッセージ６０１と全く同じ形式を持ち、ホストコンピュータ１１０がメモリ１１５の内容をコピーして送信する。応答メッセージ中のホストＩＤとポート番号の組が不揮発性メモリ１２４の内容と一致する場合（５０７）、ホストＩＤと新しいポート番号の組を不揮発性メモリ１２４に登録し（５０８）、印刷のための通信を再開する（５０９）
【００４０】応答メッセージ中のホストＩＤとポート番号の組が不揮発性メモリ１２４の内容と一致しない場合（５０７）、または、タイマ１２３がタイムアウトした場合（５０６）、プリンタ初期化処理部１２５は、不揮発性メモリ１２４の内容を消去し（５１０）、処理を終了する。
【００４１】
ホストコンピュータ１１０は、印刷ジョブを転送中に通信障害が発生した場合（２０３）、通信再開処理を行う（２０６）
【００４２】図４に、ホストコンピュータ１１０における通信再開処理のフローを示す。
【００４３】
以下、図４を用いてホストコンピュータ１１０における通信再開処理手順について説明する
【００４４】通信再開処理部１１６は、メモリ１１５にホストＩＤとポート番号の組が登録されているかを確認し（４０１）、登録されている場合にタイマ１１４を起動し（４０２）、通信要求を受け付ける（４０３）。
【００４５】
ネットワークプリンタ１２０から通信要求が有り（４０４）、通信要求メッセージ中のホストＩＤとポート番号の組がメモリ１１５の内容と一致する場合（４０５）、応答メッセージ（６０１）にメモリ１１５の内容をコピーして送信し（４０６）、ホストＩＤと新しいポート番号の組をメモリ１１５に登録し（４０７）、通信を再開する（４０８）
【００４６】通信要求メッセージ中のホストＩＤとポート番号の組がメモリ１１５の内容と一致しない場合（４０５）、応答メッセージ（６０１）にメモリ１１５の内容をコピーして通信拒否応答として送信し（４０９）、再び通信要求を受け付ける（４０３）。通信拒否応答の送信（４０９）を行わずに再び通信要求を受け付けるようにしても良い。この場合、ネットワークプリンタ１２０では、タイムアウトが発生し（５０６）処理を終了する。
【００４７】ホストコンピュータ１１０においてタイマ１１４がタイムアウトした場合（４１０）には、メモリ１１５の内容を消去し（４１１）、表示装置１１７に通信障害が発生した旨を表示し（４１２）、処理を終了する。
【００４８】ホストコンピュータ１１０が印刷ジョブを転送中に通信障害が発生した場合（２０３）、表示装置１１７に通信障害が発生した旨を表示し、通信再開処理を行うか否かをユーザに問合せ、入力装置１１８からユーザが通信の再開を指示した場合に通信再開処理を行うようにしても良い。
【００４９】実施例で用いるネットワークプロトコル１１３は、ＯＳＩ，ＴＣＰ／ＩＰ，ＵＤＰ／ＩＰ，ＮｅｔＷａｒｅ，ＬＡＮＭＡＮＡＧＥＲ，その他どのようなものであっても良く、また、ネットワーク１００は、ＬＡＮ，パケット交換網，専用線，電話線，その他どのようなものであっても良い。
【００５０】また、実施例では、
メモリ１１５および不揮発性メモリ１２４に、ホストＩＤとポート番号の組を登録しているが、通信相手と自分自身についてのホストおよび通信中のプロセスの組が特定できるものであれば、例えば、プロセス番号、ランダムな計算結果等どのような情報を用いても良い
【００５１】
実施例では、通信再開時に、ネットワークプリンタ１２０がホストコンピュータ１１０へ通信再開要求を行う例を示したが
【００５２】また、実施例では、リモート印刷制御部１１２および印刷制御部１２１が通信相手と自分自身のホストＩＤとポート番号の組をメモリに登録しているが、通信プロトコル１１３が、メモリ１１５および不揮発性メモリ１２４を利用して接続状態を管理し、リモート印刷制御部１１２および印刷制御部１２１での登録処理を通信プロトコル１１３が行うようにしても良い。」
　
（ウ）「【００５３】
【発明の効果】本発明によれば、
ホストコンピュータがネットワークプリンタを使用して印刷中に、ネットワークプリンタの電源が遮断されたり、ネットワークプリンタでリセット処理が行われたり、通信障害が発生した場合にも、その直前に使用中であったホストコンピュータの印刷ジョブを優先して印刷することができる
【００５４】これにより、
ネットワークプリンタを使用して複数ページの文書を印刷中に障害が発生した場合にも、他のホストコンピュータや他の印刷プログラムが提出した印刷ジョブによる印刷文書が間に割り込むことなく、所望の印刷文書を得ることができる
【００５５】すなわち、本発明によれば、ネットワークプリンタを複数のホストコンピュータがネットワーク内で共有する構成で、信頼性の高いリモート印刷システムを構築することができる。」
　
　以上の記載から見て、引用例１には、次のような発明が記載されているものと認められる。
　「ネットワーク１００と、前記ネットワーク１００に接続された複数のホストコンピュータ１１０と、前記ネットワーク１００に接続された少なくとも１台のネットワークプリンタ１２０とからなり、前記複数のホストコンピュータ１１０が、前記ネットワークプリンタ１２０を共有して印刷を行うリモート印刷システムにおいて、
　前記ホストコンピュータ１１０が、通信相手および自分自身のホストおよびプロセスの組とからなる接続状態を登録するためのメモリ１１５と、通信障害回復後に前記ネットワークプリンタ１２０との通信を再開するための通信再開処理部１１６と、通信の再開を監視するためのタイマ１１４とを有し、前記ネットワークプリンタ１２０が、通信相手および自分自身のホストおよびプロセスの組とからなる接続状態を登録するための不揮発性メモリ１２４と、通信の再開を監視するためのタイマ１２３と、通信障害回復後に前記ネットワークプリンタ１２０との通信を再開するプリンタ初期化処理部１２５とを有し、
　前記ホストコンピュータ１１０が、通信障害発生時に、メモリ１１５に登録されている接続状態に関する情報を元に、通信中の前記ネットワークプリンタ１２０からの通信開始要求を待ち受け、前記ネットワークプリンタ１２０が、プリンタ初期化処理中に、不揮発性メモリ１２４に登録されている接続状態に関する情報を元に、前記ホストコンピュータ１１０へ通信の開始を要求し、前記通信障害発生時に行われていた通信を再開し継続して印刷を行うことを特徴とするリモート印刷システム。」
　
５．対比
　本願発明と引用例１に記載された発明を対比すると、引用例１に記載された発明の「ネットワーク１００」は、本願発明の「ネットワーク」に相当し、引用例１に記載された発明の「ネットワークに接続された複数のホストコンピュータ１１０」は、本願発明の「ネットワーク接続された端末装置」に相当し、引用例１に記載された発明の「印刷ジョブを実行するネットワークプリンタ１２０」は、本願発明の「プリントジョブを実行する画像形成装置」に相当し、引用例１に記載された発明の「不揮発性メモリ１２４」は、本願発明の「不揮発性メモリ」に相当し、引用例１に記載された発明の「プリンタ初期化処理部１２５」は、本願発明の「再送要求手段」に相当することは、明らかである。
　
　そして、引用例１には、ネットワーク１００に接続されたホストコンピュータ１１０から印刷要求及び印刷ジョブを受信し、これらの情報に基づいて印刷ジョブを実行するネットワークプリンタ１２０が記載されているから、本願発明と引用例１に記載された発明とは、
　「ネットワーク接続された端末装置からプリント要求および画像情報データを受信し、これらの受信データに基づいてプリントジョブを実行する画像形成装置」
である点で差異はない。
　
　引用例１には、
(i)ネットワークコンピュータ１２０が、ホストコンピュータ１１０から通信開始要求を受け付けると、その印刷制御部１２１は、通信相手と自分自身のホストＩＤとポート番号の組を不揮発性メモリ１２４に登録し、印刷ジョブが無事に終わってホストコンピュータ１１０との通信を終了する場合には、不揮発性メモリ１２４に登録した通信相手と自分自身のホストＩＤとポート番号の組を消去して処理を終了し、または、印刷中にネットワークプリンタ１２０の電源遮断等により通信障害が発生しその通信障害が回復した場合には、ネットワークコンピュータ１２０のプリンタ初期化再開処理部１２５は、不揮発性メモリ１２４にホストＩＤとポート番号の組が登録されているか否かを確認し、登録されている場合には不揮発性メモリ１２４に記録されているホストコンピュータ１１０に対して通信の再開を要求し、ホストコンピュータ１１０はこの通信再開要求に応じてホストＩＤとポート番号の組を含む応答メッセージを送信し、ネットワークコンピュータ１２０は、応答メッセージ中のホストＩＤとポート番号の組が不揮発性メモリ１２４の内容と一致するかどうかを調べ、一致する場合にはホストＩＤと新しいポート番号の組を不揮発性メモリ１２４に登録し、印刷のための通信を再開することが記載されており（前掲（イ）参照。）、
かつ、引用例１には、
(ii)「【００２２】ユーザが入力装置１１８から文書の印刷を指示すると、印刷プログラム１１１は、文書ファイルと、印刷部数等の印刷形式に関するユーザが入力した設定情報を元に、ページ記述言語(ＰＤＬ:Page Description Language)により文書の内容を記述した
印刷ジョブを作成し、リモート印刷制御部１１２へ印刷ジョブを渡す
印刷プログラム１１１とリモート印刷制御部１１２との間にスプールまたはキューを設け、スプール中に複数の印刷ジョブを蓄えることができるようにし、リモート印刷制御部１１２が順次印刷ジョブを取り出して印刷する構成としてもよい
(iii)「【００５０】また、実施例では、メモリ１１５および不揮発性メモリ１２４に、ホストＩＤとポート番号の組を登録しているが、通信相手と自分自身についてのホストおよび通信中の
プロセス
プロセス番号
との記載がある。以上の記載事項に鑑みると、本願発明と引用例１に記載された発明とは、
　「自装置におけるプリントジョブの処理状態を記憶する不揮発性メモリと、遮断されていた電源が回復したときに、前記不揮発性メモリ内のプリントジョブの処理状態を参照し、まだ未処理のプリントジョブがある場合に、当該プリント要求を送信した端末装置に対して該当する画像情報データを再送するように要求する再送要求手段」
を備えている点で差異はない。
　　
　なお、プリンタ等の処理装置において、電源遮断等により通信障害が発生しその通信障害回復後に、不揮発性メモリに記憶されている接続情報等に基づいて自動的に通信を再開し、依頼元の装置へ消失した画像情報等の再送を要求することは、例えば、特開平９−１０１８６９号公報、特開平７−３８６９１号公報、特開昭６２−２８９０４６号公報にもその旨の記載があるように、当業者には周知な技術事項である。
　
　そうすると、本願発明と引用例１に記載された発明とは、
（一致点）
　「ネットワーク接続された端末装置からプリント要求および画像情報データを受信し、これらの受信データに基づいてプリントジョブを実行する画像形成装置であって、
　自装置におけるプリントジョブの処理状態を記憶する不揮発性メモリと、
　遮断されていた電源が回復したときに、前記不揮発性メモリ内のプリントジョブの処理状態を参照し、まだ未処理のプリントジョブがある場合に、当該プリント要求を送信した端末装置に対して該当する画像情報データを再送するように要求する再送要求手段とを備え、
　前記再送要求手段は、前記プリント要求送信元端末装置に対し、未処理のプリントジョブに係る画像情報データを再送するように要求する画像形成装置。」
である点で一致し、次の点で相違する。
　
（相違点）
　本願発明は、端末装置から受信したプリント要求ごとにジョブ識別情報を付与するジョブ識別情報付与手段と、付与されたジョブ識別情報を当該プリント要求の送信元端末装置に通知するジョブ識別情報通知手段を備え、再送要求手段が、プリント要求送信元端末装置に対し、未処理のプリントジョブに係るジョブ識別情報を指定して、当該ジョブ識別情報に対応する画像情報データを再送するように要求しているのに対し、
　引用例１に記載された発明は、プリンタ初期化処理部１２５が、プリント要求送信元ホストコンピュータ１１０に対し、未処理の印刷ジョブに対応する画像情報データを再送するように要求している点。
　　
６．判断
　上記相違点について判断するに、端末装置から受信したプリント要求ごとにジョブ識別情報を付与し、付与されたジョブ識別情報を当該プリント要求の送信元端末装置に通知することは、例えば、本件出願前に公開された特開平８−２６７８７７号公報、特開平８−２８７０２７号公報にその旨の記載があるように当業者には周知な技術事項である。そして、電源遮断等により消失した画像情報、すなわち未処理のプリントジョブの再送を要求する際、未処理のジョブに付与された通知済みのジョブ識別情報を送信元に送信することは、当業者の自明な技術常識程度のことである。したがって、引用例１に記載された発明に前記周知技術事項を適用して本願発明の如く構成することは、当業者が適宜なし得ることである。
　
７．むすび
　以上のとおり、本願発明は、引用例１に記載された発明及び周知技術に基づいて当業者が容易に発明をすることができたものであり、特許法第２９条第２項の規定により特許を受けることができないものであるから、他の請求項について検討するまでもなく、本願は特許を受けることができない。
　よって、結論とおり審決する。